【事件の表示】
　特許第５５３１０６９号に関する訂正審判事件について、次のとおり審決する。
【結　論】
　本件審判の請求は、成り立たない。
【理　由】
１　手続の経緯  
　特許第５５３１０６９号（以下「本件特許」という。）は、平成２２年３月３１日の出願（特願２０１０−８４５３４号）の一部を平成２４年９月１４日に新たな特許出願（特願２０１２−２０２２６２号）としたものであって、平成２６年４月２５日にその特許権の設定登録がなされ、平成２７年１２月２１日に本件訂正審判の請求がなされた後、当審において、平成２８年２月１５日付けで訂正拒絶理由を通知し、期間を指定して意見書を提出する機会を与えたが、請求人からは何らの応答もなかったものである。
 　  
２　請求の趣旨  
　本件審判の請求の趣旨は、本件特許の明細書、特許請求の範囲を審判請求書に添付した訂正明細書、特許請求の範囲のとおり訂正することを認める、との審決を求めるものである。　 
３　訂正の内容
　本件審判の請求に係る訂正（以下「本件訂正」という。）の内容は、次のとおりである（下線は、訂正部分である。）。
（１）訂正事項１  
　本件特許請求の範囲の請求項１における 
「前記パスワードを報知するパスワード報知手段と、」を、 
「前記パスワードを
数字、記号を含む文字又は図形の態様で
 
（２）訂正事項２ 
　本件特許請求の範囲の請求項１における 
「遊技者が前記パスワードを入力するためのパスワード入力手段と、を備え、」を、 
「
前記パスワード報知手段によって報知された前記パスワードに基づくパスワードを遊技者が入力する
 
（３）訂正事項３ 
　本件特許請求の範囲の請求項１における 
「前記パスワード入力手段にて前記パスワードが入力されると、そのパスワードから前記再現用遊技情報を前記遊技制御手段が取得して、」を、 
「前記パスワード入力手段にて
前記パスワードに基づくパスワード
入力されたパスワード
 
（４）訂正事項４ 
　本件特許請求の範囲の請求項１における 
「前記パスワードは、数字、記号を含む文字の列である文字列で構成されると共に、」を、 
「
前記パスワード入力手段により入力される
 
（５）訂正事項５ 
　本件特許請求の範囲の請求項１における 
「前記パスワード生成手段は、前記パスワードを構成する文字列のうちの予め定められた複数の第１規定位置の文字を特定する数値データの和が、予め定められた第２規定位置の文字を特定する数値データと一致するようにパスワードを生成し、」を、 
「前記パスワード生成手段は、前記
入力される
 
（６）訂正事項６ 
　願書に添付した明細書の段落【０００７】の 
「パスワードを報知するパスワード報知手段と、遊技者がパスワードを入力するためのパスワード入力手段と、を備え、パスワード入力手段にてパスワードが入力されると、そのパスワードから再現用遊技情報を遊技制御手段が取得して、パスワードに対応した遊技状態の所定進行状態を再現し、再現した遊技状態の所定進行状態から遊技状態が進行可能となる遊技機において、」を、 
「パスワードを
数字、記号を含む文字又は図形の態様で
パスワード報知手段によって報知されたパスワードに基づくパスワードを遊技者が入力する
パスワードに基づくパスワード
入力されたパスワード
 
（７）訂正事項７ 
　願書に添付した明細書の段落【０００７】の 
「パスワードは、数字、記号を含む文字の列である文字列で構成されると共に、パスワード生成手段は、パスワードを構成する文字列のうちの予め定められた複数の第１規定位置の文字を特定する数値データの和が、予め定められた第２規定位置の文字を特定する数値データと一致するようにパスワードを生成し、」を、 
「
パスワード入力手段により入力される
入力される
  
（８）訂正事項８ 
　願書に添付した明細書の段落【０００７】の 
「入力されたパスワードを解読するように構成したているところに特徴を有する。」を、 
「入力されたパスワードを解読するように構成し
たと
 
（９）訂正事項９ 
　願書に添付した明細書の段落【０００９】の 
「パスワード生成手段は、パスワードを構成する文字列のうちの複数の第１規定位置の文字を特定する数値データの和が、第２規定位置の文字を特定する数値データと一致するという規定に沿ってパスワードを生成する」を、 
「パスワード生成手段は、
パスワード入力手段により入力される
 
　なお、訂正事項１〜９と、審判請求書における訂正事項１〜４との関係は次のとおりである。 
　訂正事項１〜５（審判請求書の訂正事項１） 
　訂正事項６、７（審判請求書の訂正事項２） 
　訂正事項８（審判請求書の訂正事項３） 
　訂正事項９（審判請求書の訂正事項４） 
  
４　当審の判断  
（１）訂正事項１について 
 ア　訂正の目的 
　訂正前の請求項１には、「遊技状態の所定進行状態を再現するための再現用遊技情報を含んだパスワードを生成するパスワード生成手段」、「前記パスワードを報知するパスワード報知手段」、「遊技者が前記パスワードを入力するためのパスワード入力手段」、「前記パスワードは、数字、記号を含む文字の列である文字列で構成される」と記載されている。 
　これらの記載から、「前記パスワード」とは、遊技状態の所定進行状態を再現するための再現用遊技情報を含んだパスワードであり、パスワード報知手段が報知するパスワードと、パスワード入力手段に入力するパスワードとは同じものであり、そのパスワードは、数字、記号を含む文字の列である文字列で構成されると解される。 
　訂正事項１は、パスワード報知手段が報知するパスワードを「数字、記号を含む文字又は図形の態様で」と訂正するものであり、報知するパスワードを「数字、記号を含む文字」又は「図形の態様」として、択一的記載の要素を付加するものであるから、特許請求の範囲を拡張するものである。 
　したがって、訂正事項１は、特許請求の範囲の減縮、誤記又は誤訳の訂正、明瞭でない記載の釈明、請求項間の引用関係の解消のいずれにも該当しない。 
　よって、訂正事項１は、特許法第１２６条第１項ただし書き第１号ないし第４号に掲げるいずれの事項を目的とするものではない。 
 
イ　特許請求の範囲の拡張又は変更について 
　訂正事項１は、上記（１）アで述べたとおり、特許請求の範囲を拡張するものであるから、実質上特許請求の範囲を拡張し、又は変更するものである。 
　よって、訂正事項１は、特許法第１２６条第６項の規定に適合しない。 
 
（２）訂正事項２について 
 ア　訂正の目的 
　訂正事項２は、遊技者が入力するパスワードを「前記パスワード報知手段によって報知された前記パスワードに基づくパスワード」とするものである。 
　ここで、「前記パスワード報知手段」は、訂正事項１によれば、パスワードを数字、記号を含む文字又は図形で報知するパスワード報知手段であり、「前記パスワード」は、遊技状態の所定進行状態を再現するための再現用遊技情報を含んだパスワードである。 
　訂正事項２において、「報知された前記パスワードに基づくパスワード」とすることにより、遊技者が入力するパスワードが、報知されたパスワード以外のものを含むことになるから、訂正事項２は、特許請求の範囲を拡張するものである。 
　したがって、訂正事項２は、特許請求の範囲の減縮、誤記又は誤訳の訂正、明瞭でない記載の釈明、請求項間の引用関係の解消のいずれにも該当しない。 
　よって、訂正事項２は、特許法第１２６条第１項ただし書き第１号ないし第４号に掲げるいずれの事項を目的とするものではない。 
  
イ　特許請求の範囲の拡張又は変更について 
　訂正事項２は、上記（２）アで述べたとおり、特許請求の範囲を拡張するものであるから、実質上特許請求の範囲を拡張し、又は変更するものである。 
　よって、訂正事項２は、特許法第１２６条第６項の規定に適合しない。 
 
（３）訂正事項３〜５について 
ア　訂正の目的 
　訂正事項３は、前記パスワード入力手段にて「前記パスワードに基づくパスワード」が入力されるとするとともに、その「入力されたパスワード」から再現用遊技情報を遊技制御手段が取得すると訂正するものである。 
　訂正事項４は、「前記パスワード入力手段により入力される」パスワードと訂正するものである。 
　訂正事項５は、前記「入力される」パスワードと訂正するものである。 
　ここで、「前記パスワード入力手段」とは、訂正事項２によれば、パスワード報知手段によって報知された前記パスワードに基づくパスワードを遊技者が入力するものであり、「前記パスワード」とは、遊技状態の所定進行状態を再現するための再現用遊技情報を含んだパスワードである。 
　これら訂正事項３〜５は、いずれも、入力されるパスワードに関するものであり、これらの訂正は、上記（２）アで述べたとおり、入力されるパスワードは、報知されたパスワード以外のものを含むことになるから特許請求の範囲を拡張するものである。 
　したがって、訂正事項３〜５は、特許請求の範囲の減縮、誤記又は誤訳の訂正、明瞭でない記載の釈明、請求項間の引用関係の解消のいずれにも該当しない。 
　よって、訂正事項３〜５は、特許法第１２６条第１項ただし書き第１号ないし第４号に掲げるいずれの事項を目的とするものではない。 
 
イ　特許請求の範囲の拡張又は変更について 
　訂正事項３〜５は、上記（３）アで述べたとおり、特許請求の範囲を拡張するものであるから、実質上特許請求の範囲を拡張し、又は変更するものである。 
　よって、訂正事項３〜５は、特許法第１２６条第６項の規定に適合しない。 
  
（４）訂正事項６、７、９について 
　訂正事項６、７、９は、訂正事項１〜５に係る訂正に伴って、特許請求の範囲の記載と発明の詳細な説明の記載との整合を図るため、願書に添付した明細書の段落【０００７】、【０００９】の記載を訂正するものであるから、同様に、特許請求の範囲の減縮、誤記又は誤訳の訂正、明瞭でない記載の釈明、請求項間の引用関係の解消のいずれにも該当しないものであり、実質上特許請求の範囲を拡張し、又は変更するものである。 
　よって、訂正事項６、７、９は、特許法第１２６条第１項ただし書き第１号ないし第４号に掲げるいずれの事項を目的とするものではなく、同法第１２６条第６項の規定に適合しない。 
  
５　むすび 
　以上のとおりであるから、本件訂正は、特許法第１２６条第１項ただし書き各号のいずれにも該当せず、同条第６項の規定に適合しない訂正事項１〜７、９を含むものである。
　したがって、訂正事項８について検討するまでもなく、本件訂正は認められない。
　
　よって、結論のとおり審決する。